(57)【要約】【課題】挿入した物品を、内側へ折り込んだ隅板で安定して支持できるようにする。【解決手段】基板１の周囲に、側板２を山折線３を介して連設し、側板２を山折線３に沿って折り曲げつつ、隣り合う側板２の側辺を繋ぐ隅板４を、その両端の山折線５及び中央の谷折線６に沿って内側へ折り込み、挿入した物品を、隅板４で受け止める包装用緩衝材において、前記基板１を、コーナー部に斜辺１１を有する形状とし、隣り合う側板２の側辺間に斜辺１１を介在させ、隅板４に、基板１の斜辺１１に臨む部分を谷折線６まで切り抜いて隅穴１２を形成し、内側に折り込んだ隅板４が平面視Ｖ字状をなすようにする。外箱に収納した状態において、隅板４が常時基板１の中心方向へ向くので、物品を隅板４で安定して支持することができる。【選択図】図４
2011011749.tif 000002
【特許請求の範囲】
【請求項１】
基板(1)の周囲に、側板(2)を山折線(3)を介して連設し、側板(2)を山折線(3)に沿って折り曲げつつ、隣り合う側板(2)の側辺を繋ぐ隅板(4)を、その両端の山折線(5)及び中央の谷折線(6)に沿って内側へ折り込み、挿入した物品を、隅板(4)で受け止める包装用緩衝材において、前記基板(1)を、コーナー部に斜辺(11)を有する形状とし、隣り合う側板(2)の側辺間に斜辺(11)を介在させ、隅板(4)に、基板(1)の斜辺(11)に臨む部分を谷折線(6)まで切り抜いて隅穴(12)を形成し、内側に折り込んだ隅板(4)が平面視Ｖ字状をなすようにしたことを特徴とする包装用緩衝材。
【発明の詳細な説明】
【技術分野】
【０００１】
この発明は、コーナー部を折り込んだ厚紙製の包装用緩衝材に関するものである。
【背景技術】
【０００２】
従来、下記特許文献１には、図８に示すように、基板５１の周囲に、側板５２を山折線５３を介して連設し、隣り合う側板５２の側辺を繋ぐ隅板５４を、その両端の山折線５５及び中央の谷折線５６に沿って内側へ折り込み、基板５１に物品挿入口５７を、隅板５４に受穴５８をそれぞれ形成した包装用緩衝材が記載されている。
【０００３】
この緩衝材は、物品の包装に際し、物品挿入口５７に上方から挿入した物品を、受穴５８の内縁下部により下方から受け止める。
【先行技術文献】
【特許文献】
【０００４】
【特許文献１】登録実用新案第３０３４２６４号公報
【発明の概要】
【発明が解決しようとする課題】
【０００５】
しかしながら、上記のような緩衝材では、外箱に挿入して、側板５２が直立すると、隅板５４が完全に折り重ねられた状態となり、隅板５４が側板５２との境界を基端として揺動し、物品の支持状態が不安定になるという問題があった。
【０００６】
そこで、この発明は、挿入した物品を、内側へ折り込んだ隅板で安定して支持できるようにすることを課題とする。
【課題を解決するための手段】
【０００７】
上記課題を解決するため、この発明は、基板の周囲に、側板を山折線を介して連設し、側板を山折線に沿って折り曲げつつ、隣り合う側板の側辺を繋ぐ隅板を、その両端の山折線及び中央の谷折線に沿って内側へ折り込み、挿入した物品を、隅板で受け止める包装用緩衝材において、前記基板を、コーナー部に斜辺を有する形状とし、隣り合う側板の側辺間に斜辺を介在させ、隅板に、基板の斜辺に臨む部分を谷折線まで切り抜いて隅穴を形成し、内側に折り込んだ隅板が平面視Ｖ字状をなすようにしたのである。
【発明の効果】
【０００８】
この発明に係る包装用緩衝材では、外箱に挿入した状態で、隅板が平面視Ｖ字状をなす形状に維持され、隅板の揺動が阻止されて、隅板が常時基板の中心方向へ向くので、物品を隅板で安定して支持することができる。
【図面の簡単な説明】
【０００９】
【図１】この発明に係る包装用緩衝材のブランクを示す図
【図２】同上の組立過程を示す斜視図
【図３】同上の組立過程を示す斜視図
【図４】同上の組立状態を示す斜視図
【図５】同上の外箱への挿入過程を示す斜視図
【図６】同上の緩衝材による物品包装状態を示す斜視図
【図７】同上の外箱への挿入状態の底面図
【図８】従来の包装用緩衝材を示す斜視図
【発明を実施するための形態】
【００１０】
以下、この発明の実施形態を添付図面に基づいて説明する。この包装用緩衝材は、発光ダイオードを使用した短い円柱状照明器具の包装に使用するものである。
【００１１】
この緩衝材を形成する段ボール製ブランクでは、図１に示すように、基板１の周囲に、直角をなす二対の側板２が押罫の山折線３を介して連設され、隣り合う側板２の側辺同士が隅板４を介して連設されている。側板２と隅板４の境界には、押罫に切目を入れたリード罫の山折線５が入れられている。
【００１２】
隅板４には、基板１のコーナー部側から放射状に延びる谷折線６が入れられ、この谷折線６もまた、押罫に切目を入れたリード罫とされている。
【００１３】
基板１には、円形の物品挿入口７が設けられ、その周縁には、径方向の切目線を介して多数の緩衝片８が連設されている。物品挿入口７の周縁４箇所には、発光部にガードを有する照明器具の収納時に、ガードが嵌り込む嵌入凹部９が設けられている。また、隅板４には、谷折線６上の中間部分を切り抜いて受穴１０が形成されている。
【００１４】
ここで、基板１は、コーナー部に斜辺１１を有する八角形とされ、また、隅板４には、基板１の斜辺１１に臨む部分を谷折線６まで切り抜いて隅穴１２が形成されている。これに伴い、コーナー部において、隣り合う側板２の側辺をなす山折線５の内端間に、斜辺１１が介在するようになっている。
【００１５】
このようなブランクから緩衝材を組み立てるには、図２乃至図４に示すように、基板１から側板２を下方へ折り曲げつつ、隅板４を山折線５及び谷折線６に沿って内側へ折り込む。これにより、隣り合う側板２の側辺間に間隔が開いて、隅板４が平面視Ｖ字状をなすように、基板１の中心方向へ向く。
【００１６】
いま、この緩衝材を使用して、図５乃至図７に示すように、照明器具Ｌを包装する際には、外箱２０の天面を開いた状態で、緩衝材を外箱２０の周壁２１の内側へ挿入し、緩衝材を外箱２０の底壁２２に当接するまで下降させる。
【００１７】
次に、緩衝材の物品挿入口７に、照明器具Ｌを、上方から緩衝片８を押し下げつつ挿入し、緩衝片８で周囲を支持し、受穴１０の内縁下部により、下方から受け止める。
【００１８】
その後、外箱２０の蓋内フラップ２３を巻き込むように折り曲げ、蓋板２４を閉じて、封緘すると、照明器具Ｌの包装が完了する。
【００１９】
上記のような包装用緩衝材では、外箱２０に挿入した状態において、隅板４が平面視Ｖ字状をなす形状に維持され、隅板４の揺動が阻止されて、隅板４が常時基板１の中心方向へ向くので、照明器具Ｌ等の物品を隅板４で安定して下方から支持することができる。
【００２０】
また、一枚のブランクを折り曲げるだけで、簡単に組み立てて、物品を包装でき、コーナー部が斜めにカットされているので、外箱２０へスムーズに挿入することができる。
【００２１】
また、基板１の物品挿入口７に嵌入凹部９を設けたことにより、ガード付きの照明器具の包装と、ガード無しの照明器具の包装とに兼用することができる。
【００２２】
なお、上記実施形態では、基板１が天壁となって、その物品挿入口７に物品を挿入するものを例示したが、基板１を底壁として、側板２から成る周壁の内側に挿入した物品の外周を隅板４で受け止めるものとしてもよい。
【００２３】
また、側板２から成る周壁が四角筒状をなすものを例示したが、周壁が三角筒状や六角筒状をなすものにおいても、上記のような構成を採用することができる。
【符号の説明】
【００２４】
１  基板
２  側板
３  山折線
４  隅板
５  山折線
６  谷折線
７  物品挿入口
８  緩衝片
９  嵌入凹部
１０  受穴
１１  斜辺
１２  隅穴
２０  外箱
２１  周壁
２２  底壁
２３  蓋内フラップ
２４  蓋板
Ｌ  照明器具
【図１】
2011011749.tif 000003
【図２】
2011011749.tif 000004
【図３】
2011011749.tif 000005
【図４】
2011011749.tif 000006
【図５】
2011011749.tif 000007
【図６】
2011011749.tif 000008
【図７】
2011011749.tif 000009
【図８】
2011011749.tif 000010